【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
少なくとも、車両制御の制御プログラムの書込みと通信バッファの設定プログラムの書込みを行う外部書込み装置に接続される電子制御装置であって、
それぞれ異なる外部装置との通信のために割り当て可能な複数の通信バッファを有する通信回路部を含んで構成され、
前記外部書込み装置から受信した前記設定プログラムによって、前記複数の通信バッファのうち少なくとも２以上の通信バッファを前記外部書込み装置から転送される前記制御プログラムの受信のために割り当て、
前記複数の通信バッファのうち前記外部書込み装置以外の外部装置との通信に割り当てられた通信バッファを含む２以上の通信バッファを用いて前記制御プログラムを受信する、自動車用電子制御装置。
【請求項２】
少なくとも、車両制御の制御プログラムの書込みと通信バッファの設定プログラムの書込みを行う外部書込み装置に接続される電子制御装置であって、
前記電子制御装置は、
一時的に制御プログラム及びデータを保持する揮発性メモリと、
電気的にデータの消去および書込みが可能な不揮発性メモリと、
前記外部書込み装置との通信に用いる第１の通信バッファと車両制御を行う外部装置との通信に用いる第２の通信バッファを有する通信回路部と、
を含んで構成され、
前記外部書込み装置から受信した前記設定プログラムによって、前記第２の通信バッファを前記第１の通信バッファとして割り当て、前記第１の通信バッファ及び前記第１の通信バッファとして割り当てられた前記第２の通信バッファを用いて制御プログラム及びデータを受信する、自動車用電子制御装置。
【請求項３】
少なくとも、車両制御の制御プログラムの書込みと通信バッファの設定プログラムの書込みを行う外部書込み装置と当該外部書込み装置に接続される電子制御装置とからなる自動車用電子制御装置の書込みシステムであって、
前記外部書込み装置は前記設定プログラムを前記電子制御装置に送信し、
前記電子制御装置はそれぞれ異なる外部装置との通信のために割り当て可能な複数の通信バッファを含んで構成され、前記設定プログラムによって複数の通信バッファのうち少なくとも２以上の通信バッファを前記外部書込み装置から転送される前記制御プログラムの受信のために割り当て、
前記複数の通信バッファのうち前記外部書込み装置以外の外部装置との通信に割り当てられた通信バッファを含む２以上の通信バッファを用いて前記制御プログラムを受信する、自動車用電子制御装置の書込みシステム。
【請求項４】
前記電子制御装置は、揮発性メモリと電気的にデータの消去および書込みが可能な不揮発性メモリとを有し、
前記電子制御装置は、
接続された前記外部書込み装置から書込みプログラムを受信して前記揮発性メモリに展開し、
展開した前記書込みプログラムを実行することにより前記外部書込み装置から前記制御プログラムを受信して不揮発性メモリに書込む、請求項１から請求項３のいずれか１つに記載の自動車用電子制御装置又は自動車用電子制御装置の書込みシステム。
【請求項５】
前記電子制御装置は、電気的にデータの消去及び書込みが可能な不揮発性メモリを備え、前記制御プログラムを所定サイズごとに分割した分割データを通信によって取得可能に構成され、
前記複数の通信バッファを順次使用し分割データを受信し、受信した分割データを検証することと並行して、分割データの受信に使用しない前記通信バッファを使用して受信した分割データを前記不揮発性メモリに書込み、書込んだ不揮発性メモリ上の分割データを検証する、請求項１から請求項４のいずれか１つに記載の自動車用電子制御装置又は自動車用電子制御装置の書込みシステム。
【請求項６】
それぞれ異なる外部装置との通信のために割り当て可能な複数の通信バッファを有する電子制御装置への車両制御の制御プログラムの書込み方法であって、
外部書込み装置から前記通信バッファの設定プログラムを受信するステップと、
前記設定プログラムによって、前記複数の通信バッファのうち少なくとも２以上の通信バッファを前記外部書込み装置から転送される前記制御プログラムの受信のために割り当てるステップと、
前記設定プログラムによって、前記複数の通信バッファのうち前記外部書込み装置以外の外部装置との通信に割り当てられた通信バッファを含む２以上の通信バッファを用いて前記制御プログラムを受信するステップと、
を有する、車両制御の制御プログラムの書込み方法。
【請求項７】
前記電子制御装置は、揮発性メモリと電気的にデータの消去および書込みが可能な不揮発性メモリとを有し、
前記外部書込み装置から受信した書込みプログラムを前記揮発性メモリに展開するステップと、
展開した前記書込みプログラムを実行することにより前記外部書込み装置から前記制御プログラムを受信して不揮発性メモリに書込むステップとを更に含む、請求項６記載の車両制御の制御プログラムの書込み方法。
【請求項８】
前記電子制御装置は電気的にデータの消去及び書込みが可能な不揮発性メモリを備え、
前記制御プログラムを受信するステップは、
前記複数の通信バッファを順次使用して前記制御プログラムを所定サイズごとに分割した分割データを受信するステップと、
受信した分割データを検証することと並行して、分割データの受信に使用しない前記通信バッファを使用して受信した分割データを前記不揮発性メモリに書込むステップと、
書込んだ不揮発性メモリ上の分割データを検証するステップと、
を含む、請求項６又は請求項７記載の車両制御の制御プログラムの書込み方法。
【手続補正２】
【補正対象書類名】明細書
【補正対象項目名】発明の名称
【補正方法】変更
【補正の内容】
【発明の名称】自動車用電子制御装置、自動車用電子制御装置の書込みシステム、及び車両制御の制御プログラムの書込み方法
【手続補正３】
【補正対象書類名】明細書
【補正対象項目名】０００１
【補正方法】変更
【補正の内容】
【０００１】
本発明は、自動車用電子制御装置、自動車用電子制御装置の書込みシステム、及び車両制御の制御プログラムの書込み方法に関する。
【手続補正４】
【補正対象書類名】明細書
【補正対象項目名】０００６
【補正方法】変更
【補正の内容】
【０００６】
そこで、本技術はこのような問題点に鑑み、書込みデータの転送に要する時間を短縮できる、自動車用電子制御装置、自動車用電子制御装置の書込みシステム、及び車両制御の制御プログラムの書込み方法を提供することを目的とする。
【手続補正５】
【補正対象書類名】明細書
【補正対象項目名】０００７
【補正方法】変更
【補正の内容】
【０００７】
そのため、本発明に係る自動車用電子制御装置は、その一態様として、少なくとも、車両制御の制御プログラムの書込みと通信バッファの設定プログラムの書込みを行う外部書込み装置に接続される電子制御装置であって、それぞれ異なる外部装置との通信のために割り当て可能な複数の通信バッファを有する通信回路部を含んで構成され、前記外部書込み装置から受信した前記設定プログラムによって、前記複数の通信バッファのうち少なくとも２以上の通信バッファを前記外部書込み装置から転送される前記制御プログラムの受信のために割り当て、前記複数の通信バッファのうち前記外部書込み装置以外の外部装置との通信に割り当てられた通信バッファを含む２以上の通信バッファを用いて前記制御プログラムを受信する。
また、本発明に係る自動車用電子制御装置は、その一態様として、少なくとも、車両制御の制御プログラムの書込みと通信バッファの設定プログラムの書込みを行う外部書込み装置に接続される電子制御装置であって、前記電子制御装置は、一時的に制御プログラム及びデータを保持する揮発性メモリと、電気的にデータの消去および書込みが可能な不揮発性メモリと、前記外部書込み装置との通信に用いる第１の通信バッファと車両制御を行う外部装置との通信に用いる第２の通信バッファを有する通信回路部と、を含んで構成され、前記外部書込み装置から受信した前記設定プログラムによって、前記第２の通信バッファを前記第１の通信バッファとして割り当て、前記第１の通信バッファ及び前記第１の通信バッファとして割り当てられた前記第２の通信バッファを用いて制御プログラム及びデータを受信する。
また、本発明に係る自動車用電子制御装置の書込みシステムは、その一態様として、少なくとも、車両制御の制御プログラムの書込みと通信バッファの設定プログラムの書込みを行う外部書込み装置と当該外部書込み装置に接続される電子制御装置とからなる自動車用電子制御装置の書込みシステムであって、前記外部書込み装置は前記設定プログラムを前記電子制御装置に送信し、前記電子制御装置はそれぞれ異なる外部装置との通信のために割り当て可能な複数の通信バッファを含んで構成され、前記設定プログラムによって複数の通信バッファのうち少なくとも２以上の通信バッファを前記外部書込み装置から転送される前記制御プログラムの受信のために割り当て、前記複数の通信バッファのうち前記外部書込み装置以外の外部装置との通信に割り当てられた通信バッファを含む２以上の通信バッファを用いて前記制御プログラムを受信する。
更に、本発明に係る車両制御の制御プログラムの書込み方法は、その一態様として、それぞれ異なる外部装置との通信のために割り当て可能な複数の通信バッファを有する電子制御装置への車両制御の制御プログラムの書込み方法であって、外部書込み装置から前記通信バッファの設定プログラムを受信するステップと、前記設定プログラムによって、前記複数の通信バッファのうち少なくとも２以上の通信バッファを前記外部書込み装置から転送される前記制御プログラムの受信のために割り当てるステップと、前記設定プログラムによって、前記複数の通信バッファのうち前記外部書込み装置以外の外部装置との通信に割り当てられた通信バッファを含む２以上の通信バッファを用いて前記制御プログラムを受信するステップと、を有する。
【手続補正６】
【補正対象書類名】明細書
【補正対象項目名】０００８
【補正方法】変更
【補正の内容】
【０００８】
本技術によれば、自動車用電子制御装置と外部書き込み装置との間で通信する回数を減らすことができ、書込みデータの転送に要する時間を短縮することができる。
【手続補正７】
【補正対象書類名】明細書
【補正対象項目名】０１０９
【補正方法】変更
【補正の内容】
【０１０９】
ここで、上述した実施形態から把握し得る技術的思想について、以下に記載する。
（イ）少なくとも、車両制御の制御プログラムと通信バッファの設定プログラムの書き込みを行う外部書き込み装置に接続される自動車用電子制御装置であって、
前記自動車用電子制御装置は、
一時的に制御プログラム及びデータを保持する揮発性メモリと、
電気的にデータの消去および書き込みが可能な不揮発性メモリと、
前記外部書き込み装置との通信に用いる第１の通信バッファと車両制御を行う外部装置との通信に用いる第２の通信バッファを有する通信回路部と、
を含んで構成され、
前記外部書き込み装置から受信した前記通信バッファの設定プログラムによって、前記第２の通信バッファを前記第１の通信バッファとして割り当て、前記第１の通信バッファ及び前記第１の通信バッファとして割り当てられた前記第２の通信バッファを用いて制御プログラム及びデータを受信し、
前記制御プログラムの受信において使用する通信バッファは、前記車載状態の通信環境で未使用な通信バッファを含むことを特徴とする自動車用電子制御装置。